(57)【特許請求の範囲】
【請求項１】
アプザイレンまたはビレイに用いるデサンドールであって、
デサンドールをハーネスまたは類似物に連結するための連結手段を具えるベースと、
前記ベースに回動軸で枢着されたアームとを具え、
前記ベースはロープをかけるための第１および第２の突出部を有し、
前記アームは前記ロープをかける第３の突出部を有し、当該第３の突出部は、前記アームが前記ベースの方に回動した場合に、前記第３の突出部が前記第１および第２の突出部を通る長軸の片側に位置し、前記第２の突出部より前記回動軸から遠くであるが前記第１の突出部より前記回動軸の近くとなるよう配置されており、
前記ベース上に枢着されたレバーを具え、当該レバーはカムと結合しており、
前記アーム上に設けられたカム面を具え、前記カムとカム面は、前記カムが前記カム面のいずれかの端部位置にある場合に、前記カムが前記カム面のより中央位置にある場合より、前記アームが前記ベースのより近くに回動し、これにより使用時に前記ロープにかかる抵抗力が、前記カムが前記カム面のいずれかの端部またはその近傍に位置する場合に最大となり、前記カムが前記カム面の両端部の間に位置する場合に最小となり、
概ね前記第１および第２の突出部の間であって前記ベースの縁部の近くに配置され、前記デサンドールに入るロープの前記第１の突出部から前記第３の突出部へと延在する部分を、前記デサンドールを出るロープの前記第３の突出部から前記第２の突出部へと延在する部分から分けて互いに干渉しないようにするために配置された第４の突出部を具え、前記第４の突出部は、前記ベースに枢着された別のアームの端部に設けられていることを特徴とするデサンドール。
【請求項２】
請求項１に記載のデサンドールにおいて、前記突出部がシーブである
【請求項３】
請求項２に記載のデサンドールにおいて、前記第１、第２、および第３の突出部はほぼ同様のサイズであり、前記第４の突出部は前記第１、第２、および第３の突出部より比較的小さいことを特徴とするデサンドール。
【請求項４】
請求項１ないし３のいずれかに記載のデサンドールがさらに、前記アームを前記ベースから離れる方へ回動軸の周りを回転するように付勢する手段と、前記アームが前記ベースから離れて所定の角度以上回動させないようにするストップ手段と、
使用時に、前記ロープが前記第１の突出部と、前記第３の突出部と、前記第２の突出部とを廻って通る状態で、前記アームが回動したときに当該ロープにかかる抵抗力が最大となり、前記第３の突出部が前記長軸に最も近くなるよう構成されており、前記デサンドールは：
当該デサンドールが、前記ロープで人物がスライド降下する降下速度を制御するデサンドールとして動作する第１のモードであって、前記レバーが前記降下速度を制御するのに用いられる第１のモードと、
前記デサンドールが、当該デサンドールを通るロープにほぼテンションがかからないビレイとして用いられる第２のモードであって、前記ロープは前記デサンドールを通して供給され、前記付勢手段が前記アームと前記ベースを離していて前記ロープが前記デサンドールに比較的自由に供給可能であるが、前記ロープのテンションが急に増大したら、前記付勢手段が克服されて前記アームが前記ベースの方へ引っ張られ、これにより前記ロープが前記第２および第３の突出部の間にロックされて制御不能な落下が防止される第２のモードとを有することを特徴とするデサンドール。
【請求項５】
請求項４に記載のデサンドールにおいて、前記付勢手段は、前記アーム上に規定された突出部に作用するバネを具え、前記ストップ手段は前記ベース上に規定されたキャッチであり、当該キャッチは前記デサンドールを解放状態にすべく動作可能であることを特徴とするデサンドール。
【請求項６】
請求項１乃至５のいずれかに記載のデサンドールにおいて、前記カムおよびカム面は、
前記レバーを操作すると前記カムを前記カム面の特定領域に配置することにより動きに対する抵抗がセットされ、前記ロープが前記デサンドールを通って急に動いたら、前記アームが前記ベースの方へ引っ張られて前記ロープを前記第２および第３の突出部の間にロックすることを特徴とするデサンドール。
【請求項７】
請求項１乃至６のいずれかに記載のデサンドールにおいて、前記レバーは、前記レバーにヒンジ結合された伸展アームを具え、当該伸展アームは、畳んで前記レバーに収容することができ、使用のために伸展されて前記レバーの有効長を増大させる伸展アームを具えることを特徴とするデサンドール。
【発明の詳細な説明】
【技術分野】
【０００１】
関連出願への相互参照
本出願は、２００９年６月１２日提出のオーストラリア暫定特許出願番号２００９９０２７２９号「Ｉｍｐｒｏｖｅｄ  Ｄｅｓｃｅｎｄｅｒ」の優先権を主張するものであり、その全体が参照により本書に組み込まれる。
【背景技術】
【０００２】
本出願は、アプザイレンとビレーに用いるデサンドールに関し、特に、自動ブレーキを組み込んだ種類の改良型デサンドールに関する。
【０００３】
アプザイレンは、絶壁面などの急峻な面を降下するのに用いる技術であり、登山、キャニオニング、洞窟探検などの活動に従事する人物によく用いられる。絶壁面を懸垂降下するために、最初に崖の上にロープを設置し、降下する人物がロープをスライド降下する。ロープは、人物の胴体周りか、より一般的には、人物が装着するハーネスに取り付けられたデサンドールに通され、胴体周りかデサンドールを通るロープの通路が、降下速度を安全な速度に弱めるのに十分な摩擦を提供する。
【０００４】
デサンドールは、曲がりくねった経路に沿ってロープがその周りと間を移動するロープ係合サービスを具え、これがロープとデサンドールの間の摩擦係合を提供する。降下速度は一般に、ロープの自由端部または後端部を持ってデサンドールから出るロープのテンションを制御することにより、ロープとデサンドール間の摩擦係合度合いが制御される。
【０００５】
アプザイレンで用いられるデサンドールは、その効能と複雑さにおいて大きく異なり、ロープと、当該ロープが巻かれた金属リングまたはラックの間の摩擦係合に頼っている比較的簡単な器具が何種類もあり、単にロープの自由端部または後端部を制御するのとは異なりロープとデサンドール間に摩擦を生じさせるブレーキシステムを組み込んだ複雑なデサンドールも多くある。最初の複雑な器具は、作動時にデサンドールとロープ間の摩擦を増大させるハンドルまたはレバーを有する。この種のデサンドールは、ブレーキが自動でない点において単純な器具に対してそれほど改良されておらず、このため利用者が意識不明に陥ってしまった場合、以前の器具と同様に利用者が滑落してしまう。
【０００６】
現在では多くの器具が自動ブレーキ機構を具え、デサンドールを用いる人物がハンドルを操作して降下速度を制御するとともに、ハンドルが解放されたらブレーキが作動して利用者が制御不能に落ちてしまうのを防止する。オーストラリア特許出願第１６１３２／９５は、レバーで操作するデサンドール用の自動ロックシステムを設けたデサンドールを開示しており、デサンドールの利用者がレバーを操作するとブレーキ手段が解除されて人物が降下可能となり、デサンドールの利用者がレバーから手を離すと、ブレーキシステムが自動的に作動して人物が制御不能に落ちるのが防止される。
【０００７】
同様の種類のデサンドールが米国４，５９６，３１４号に開示されている。
【０００８】
ＡＵ１６１３２／９５の種類のデサンドールには２つの問題がある。最初の問題は、このデサンドールはビレイには利用できないことである。ビレイは登山においてよく知られた技術である。登山者（ビレイされる人）が絶壁面を降下または登攀もしくは似たことを行う場合、絶壁面にピトンを介してロープで繋がれる。ビレイする人がロープを持ち、ビレイされる人が絶壁面を昇降する最短距離を移動するために必要なだけロープを出す。これにより、ビレイされる人が滑落した場合、その落下はロープとビレイする人により阻止される。しかしながら、ＡＵ１６１３２／９５に示すデサンドールは、ビレイに用いることができない。
【０００９】
ＡＵ１６１３２／９５記載のデサンドールの第２の欠点は、器具をデサンドールとして用いる人物によって降下速度が予め設定できないことである。
【００１０】
国際特許出願ＰＣＴ／ＡＵ９７／００１４７は、アプザイレンまたはビレイに用いるデサンドールとして利用できる自動ブレーキ手段付きの改良型デサンドールを開示する。しかしながら、このデサンドールの問題は、物品や身体などを持ち上げる昇降機として利用する場合に効率的に機能せず、動かなくなってしまう場合がある。
【００１１】
本発明は、ＰＣＴ／ＡＵ９７／００１４７の上記問題を軽減することを目的とする。
【００１２】
本明細書に含まれる様々な文献、行動、材料、装置、物品などへの言及は、本発明の説明を提供することのみを目的とする。これはこれらのいずれかまたはすべての事項が、本願の各クレームの優先日の前から存在する従来技術の基準または本発明の関連分野における共通の通常の知識の一部を形成すると許容するものではない。
【発明の概要】
【００１３】
したがって、本発明によると、アプザイレンまたはビレイに用いるデサンドールであって、
デサンドールをハーネスまたは類似物に連結するための連結手段を具えるベースと、
前記ベースにほぼ垂直に延在する回動軸に枢着されたアームとを具え、
前記ベースはロープを係合する離れた第１および第２の突出部を有し、当該突出部はともに前記回動軸にほぼ平行に延在しており、
前記アームはロープを係合する第３の突出部を有し、当該突出部は前記回動軸にほぼ平行に延在し、この突出部は、前記アームが前記ベースの方に回動した場合に、前記突出部が前記ベースの前記第１および第２の離れた突出部を通る長軸の片側に位置し、前記第２の突出部より前記回動軸から遠くであるが前記第１の突出部より前記回動軸の近くとなるよう配置されており、
リテンションプレートを具え、
概ね前記第１および第２の離れた突出部の間であって前記ベースの縁部の近くに配置され、前記デサンドールに入るロープの前記第１の突出部の周りと前記第３の突出部の周りの部分を、前記デサンドールを出る同じロープの前記第３および第２の突出部の間の部分から分けるよう配置された第４の突出部を具えることを特徴とするデサンドールが提供される。
【００１４】
典型的に、前記第４の突出部は、前記ベースに枢着されたアームの端部に設けられ、前記第１の突出部の近くの第１の動作位置と、第２の非動作位置との間で移動する。
【００１５】
これらの突出部は、典型的にはシーブである。典型的に、前記第１、第２、および第３の突出部はほぼ同様のサイズで直径３ｃｍのオーダーであり、一方で前記第４の突出部は比較的小さく直径約１ｃｍである。
【００１６】
有利なことに、通常のデサンドールやビレイとして動作できるとともに、本発明のデサンドールは、例えば絶壁面や建物などから人物や物品をシャフトでつり上げることにも利用できる。この場合、デサンドールに通されたロープの一端部は、前記シャフトや絶壁面などの頂部に固定され、前記デサンドールはつり上げられる人物が装着するハーネスに固定される。ロープの自由端は前記シャフトや崖などの頂部にいる人物が保持し、人物／物品を上に引っ張り上げる。崖の頂部にいる人間は、（図１Ｂに示す）Ｂの方向にロープを引っ張ることができ、ロープはデサンドールを通ってその方向に移動し、このとき前記第４の突出部が、デサンドールを出入りするロープの部分を別離させてこれらが擦れ合わないようにするため絡まることがない。
【００１７】
好適な実施例では、デサンドールはまた、前記アームを付勢して前記ベースから離れるよう回動させる手段と、前記アームが前記ベースから所定の角度以上に回動させないようにするストップ手段と、
前記付勢手段が克服されて前記アームが前記ベースの方へ回動した場合に、前記アームが前記ベースの方へ移動できる距離を制限する第２のストップ手段を具え、この第２のストップ手段が調整可能であり、
使用時に、ロープが前記第１の突出部の下と、前記第３の突出部の上および周りと、前記第２の突出部の上を通る状態で、前記アームが回動したときに当該ロープにかかる抵抗力が最大となり、前記第３の突出部が前記長軸に最も近くなるよう構成されており、前記デサンドールは：
当該デサンドールが、前記ロープで人物がスライド降下する降下速度を制御するデサンドールとして動作する第１のモードであって、前記調整可能な第２のストップ手段が前記降下速度を制御するのに用いられ得る第１のモードと、
前記デサンドールが、当該デサンドールを通るロープにほぼテンションがかからないビレイとして用いられる第２のモードであって、ロープは前記デサンドールを通して供給可能であり、前記付勢手段が前記アームと前記ベースを離していてロープが前記デサンドールに比較的自由に供給可能であるが、前記ロープのテンションが突然増大したら、前記付勢手段が克服されて前記回動アームが前記ベースの方へ引っ張られ、これにより前記ロープが前記第１および第２の突出部の間にロックされて制御不能な落下が防止される第２のモードを有する。
【００１８】
この実施例では、デサンドールはビレーとしてもデサンドールとしても使用できる。
【００１９】
ビレーとして利用する場合、動きが遅い場合に装置はロープを自由に走らせることができる。例えばビレイされる人が滑落してロープがデサンドールを通るのが早くなったら、アームがベース側に引っ張られて装置が自動でロックする。デサンドールとして利用する場合、調整可能な第２のストップ手段を用いて降下速度を制御することができる。
【００２０】
自動ブレーキは、（第１および第２の突出部で規定される）固定端部シーブと、前記第３の突出部で規定される前記回動可能な中央シーブとの間のロープに圧力がかかった場合に作動する。
【００２１】
好適な実施例において、前記付勢手段は、前記アーム上に規定された突出部に作用するバネを具え、前記ストップ手段は前記ベース上に規定されたキャッチであり、当該キャッチは前記デサンドールを解放状態にすべく動作可能である。
【００２２】
一実施例において、前記調整可能なストップ手段は、
前記ベース上で回動するレバーであって、カムに連結されてカム面を規定するレバーと、
前記アーム上に配置されたカムフォロワとを具え、前記カムとカム面は、前記カムが前記カム面のいずれかの端部に位置する場合に、前記カムが前記カム面のより中央位置にある場合より、前記カムが前記カムフォロワのいずれかの端部に位置する場合より、前記アームが前記ベースの近くに回動し、これにより使用時に前記ロープにかかる抵抗力が、前記カムが前記カム面のいずれかの端部またはその近傍に位置する場合に最大となり、前記カムが前記カム面の両端部の間にある場合に最小となり、前記レバーを操作すると動作に対する抵抗が前記カムを前記カムフォロワの特定領域に配置することにより設定され、前記ハンドルが位置ロックされていない場合に、前記ロープが前記デサンドールを通って急に動いたら、前記回動アームが前記ベースの方へ引っ張られて前記ロープを前記第１および第２の突出部の間にロックし、前記レバーが位置ロック可能となることを特徴とする。
【００２３】
これにより、降下速度がプリセット可能となる。
【００２４】
好適な実施例では、前記レバーは、前記レバーにヒンジ結合され、畳んで前記レバーに収容することができ、使用のために伸展されて前記レバーの有効長を増大させる伸展アームを具える。
【００２５】
デサンドールが１または他の種類の自動ストップ手段を具え、人間が装着するハーネスに固定されている場合、ロープを引っ張って自身を上に引っ張り上げることにより、この人物は自身を崖や建物などの面で引っ張り上げることが可能である。デサンドールをロープを上に移動し、人間がロープを解放したら、前記自動ストップ手段が前記デサンドールをロックして下に移動するのを防止する。前記第４のシーブが動作位置にある場合、人間が自身を引っ張り上げる際に、前記第４の突出部が前記ロープの前記デサンドールに入る部分と出る部分とを別れたままとし触れ合わないようにして絡まるのが防止される。
【図面の簡単な説明】
【００２６】
本発明を、単なる例として、添付の図面を参照しながら以下に説明する。
【図１】図１は  デサンドールの第１の実施例の平面図であり、リテンションプレートを取り除いた状態を示す。
【図１Ａ】図１Ａは図１と同様であるが、アプザイレンの第１の構成にある図１のデサンドールにロープが通された状態を示す。
【図１Ｂ】図１Ｂは図１と同様であるが、アプザイレンの第２の構成にある図１のデサンドールにロープが通された状態を示す。
【図１Ｃ】図１Ｃは、図１のＩＣ−ＩＣ線に沿った断面図である。
【図２】図２は、デサンドールのベースプレートと、当該ベースプレートに付随あるいは取り付けられた多くの部品を示す。
【図２Ａ】図２Ａは、図２のＩＩＡ−ＩＩＡ線に沿った断面図である。
【図３】図３は、デサンドールのアームを示す。
【図３Ａ】図３Ａは、図３のＩＩＩＡ−ＩＩＩＡの断面図である。
【図４】図４は、デサンドールのレバーおよび付属品の端面図である。
【図５】図５は、図４のリテンションプレートとレバーを示す。
【発明を実施するための形態】
【００２７】
図面を参照すると、図１はデサンドールの平面図であり、ベースプレート１０とアーム１２とを具えている。図１において、アームに隠れているベースプレートの外側縁部の部品１６Ａが点線で示され、シーブで隠れているアームの周縁部の部品も同様である。
【００２８】
アーム１２は、ピボット１４によりベースプレート１０の上に搭載され、このアームはベースプレートに対してピボット周りを回転自在である。第１および第２の離れたシーブ１６、１８が、ベースプレートに取り付けられている。これらのシーブは回転しない。これらのシーブは、図２Ａを参照して後述するように、アーム１２の一部がシーブの下、シーブとベース１０の間に入ることができるよう構成されている。
【００２９】
レバー２０もまた、ピボット２２によりベースプレートに搭載されている。図１、１Ａ、および１Ｂにおいて、デサンドールの他の要素を隠さないように、レバーは線２０で示されている。カムを規定する円筒形のベアリング２４が、ピボットの近くでレバー２０に取り付けられている。カム面／カムフォロワ２６が、アームにリベット留めされている。カム２４がカム面２６に接触している場合、レバー２０をピボット２２周りに回動させると、ベアリング面２４がカム面２６に対して動き、その結果前記アームがピボット１４周りに回動して、アームがベース１０の方へ、または離れるように移動する。その結果、アーム１２に設けられたシーブ２８が、シーブ１８の方へ、または離れるように移動する。図１に示すように、カム面２６の中央２６Ｃは、カム面の両端部２６Ａ、２６Ｂよりもピボット２２の近くにある。したがって、カムがカム面２６Ｃの中央に位置するとき、カムがカム面のいずれかの端部２６Ａ、２６Ｂへと動いた場合よりも、アーム１２はベースから遠くにある。
【００３０】
図１には示されていないが、シーブ２８に作用して当該シーブをシーブ１６、１８から離れるように移動させるバネとストップ構造が設けられており、シーブ１６、１８はさらに、図示するように前記アームをピボット１４を軸に反時計回りに、ベースから離すように回転させ、ストップが、アーム１２ひいてはシーブ２８を、ピボット１４周りでベース１０から離れる所定角度以上は移動しないようにする。したがって、他の力がかからない場合、アームはベースに対して所定角度に保持される。
【００３１】
アーム１２は、ベースプレートとリテンションプレートそれぞれの整列した小さな穴３０、３２と、ピボット周りのアームの動きを制限しうるアームの大きな穴３４とにボルトまたは類似器具を通すことにより、ベースプレート１０にロックすることができる。この構造は特に、子供がデサンドールを利用する場合に、使用時に開かないようにして危険を避けるのに有用である。
【００３２】
図１はさらに、アーム１５０を示している。アーム１５０の一端部は、ベースプレート１０の第２のシーブ１８の近くのピボット１５１に設けられる。図１Ｃに最もよく示すように、アーム１５０は、２枚の平行なプレート１５２、１５４を具え、これらはそれぞれベースプレート１０の両側に取り付けられる。アーム１５０の自由端部は、シーブ１６、１８、２８（約３ｃｍ）と比較して、比較的小さな直径（約１ｃｍ）の円筒形のシーブ１５６を規定している。シーブ１５６の側部は浅いＶ字形プロファイルを規定している。シーブの頂部は、円筒形の突出部１５８を規定する。
【００３３】
図１、１Ａ、１Ｂを特に参照すると、ベースプレート１０の縁部は、アームのピボット１５１から等距離にある２つのほぼ半円形の溝／切り欠き１６０、１６２を規定している。図１に最もよく示すように、アーム１５０は、突出部１５８が切り欠き１６０に収まり、シーブ１５６が固定シーブ１６の近くに配置されるよう位置決め可能である。この位置において、図１に示すように、シーブ１５６の中央はシーブ１６の中央から約３−４ｃｍにあり、シーブ１６、１５６の外側面の間には約１．５−２．０ｃｍ、典型的には１．８ｃｍの隙間Ｇがある。
【００３４】
図１はまた、外側が点線のアーム１５０’を示しており、これは便宜のために突出部が切り欠き１６２に収まっている状態の第２の下側位置へとピボット周りに回動されている。アームはこの第２の位置における機能はなく、必要ない場合、すなわち後述するようにアプザイレンする場合にここに移動される。
【００３５】
図１Ａは、図１と同様であるが、デサンドールにロープ３０が通されている。図示するデサンドールは、人間のハーネスに取り付けられた使用時の配置で示され、これを実現する取付手段がピボットピン１４の近くに設けられている。ハーネスを取り付ける手段は一般に、ハーネス（図示せず）に取り付けられたカラビナ（図示せず）が通る穴または開口部３４を具える。デサンドールを装着する人物の体重によるロープのテンションが、スプール２８をスプール１８の方へ引っ張り、これによりスプール１８、２８間のロープを圧迫して降下速度を緩める。レバー２０を動かしてカム２４をカムフォロワのいずれかの端部２６Ａ、２６Ｂからカムフォロワの中央２６Ｃ側へ離れる方へ移動させると、アーム１２がベース１０から離れる方へ押され、シーブ１８と２８の間の距離が増大し、スプール間をロープが自由に通過できるようになり、これにより降下速度が上がる。降下速度はこのようにしてレバー２０により制御される。レバー２６Ｃは中央位置で降下速度が最大となり、レバーが中央２６Ｃの上または下にある場合には降下速度が自動的に減少して安全な降下速度に調整されるため、装置が本質的に安全なものとなる。レバーが不意に何かにぶつかってもいずれかの端部に突き当たるため、降下速度は減少する。
【００３６】
図１Ａに示すように、降下／アプザイレンの場合、シーブ１５６は必要とならず、通常は第２の位置１５０’の方へ回動されている。
【００３７】
この装置は、山岳や壁面などを昇降する際に用いられるビレイとして利用可能であり、この場合はロープの一部が山岳や壁面に固定的に取り付けられ、人物もまたロープに結ばれ、ビレイする人は、ビレイされる人が登攀または降下するの際に限られた量のロープをビレイされる人に繰り出す。ビレイする人、すなわちビレイされる人の上または下で壁面にいるか壁面の頂部または麓にいる人は、ハーネスに取り付けられたデサンドールを装着する。バネとストップ機構がアーム１２をベース１０から離しており、これによりシーブ２８、１６が離れてロープがデサンドールを比較的自由に通って走行することができ、その結果ビレイされる人／登攀者が必要なだけロープが供給されて、ビレイされる人が自由に登攀できる。ビレイする人も壁面にいる場合、当該ビレイする人は手を使ってビレイされる人にロープを繰り出す必要はなく、両手を使って壁面にグリップすることができる。ビレイする人が滑落した場合、ロープの増大したテンションがバネ付勢を簡単に克服し、アームがベースの方に動いて降下速度を減少させて調整する。
【００３８】
ビレイされる人が降りる場合、ビレイする人は単にレバー２０を操作してビレイされる人の降下を制御することができる。
【００３９】
図１Ｂに示す類似の構成では、装置は例えば崖や建物などの面からつり上げる（out of a shaft up）など、人物または物品を引っ張り上げるのに利用することができる。この場合、ロープの一端はシャフトや壁面の頂部に固定的に取り付けられ、デサンドールはつり上げる人物のハーネスに装着される。典型的には、この人物は最初に崖を降りているかビレイ降下している。ロープの自由端部は崖などの頂部に位置する人物が保持する。既に正しい位置にない場合、アームを第１の位置に動かして、小さなシーブ１５６をシーブ１６近くの上の位置にする。この構成において、崖の上にいる人物はロープをＢの方向に上に引っ張ることができ、ロープは絡まずにデサンドールを通る。ロープが動こうとするとデサンドールはロックする。
【００４０】
デサンドールが取り付けられたハーネスを装着している人物もまた、ロープを引っ張って自身を引っ張り上げることにより、崖や建物などの面で自身を引っ張り上げることができる。デサンドールはロープを上に上がり、人物がロープから離れた場合、ストップ手段がロックしてデサンドールがロープを下に移動するのが防止される。第４のシーブが動作位置にある場合、第４の突出部がデサンドールに入るロープと出るロープを離しているため、人物がロープをたぐって自身が登る際に互いに擦れ合って絡まるのが防止される。
【００４１】
シーブ１５６が正しい位置にない場合、シーブ１５６がロープをきちんと別離させないため、ロープがＢの方向へ上に引っ張られたら、ロープのデサンドール内へ下へ移動する部分が、シーブ１６の近くのデサンドールを通るロープに接触して擦れ合う。この場合にＢの方向にロープを引っ張ると、アーム１２が時計回りに引っ張られてデサンドール内のロープが絡まってロープを引っ張ることができなくなる。
【００４２】
シーブ１５６は、ロープの２つの区画を離れたままとして、図１Ｂに示すように離れているがほぼ平行とすることによりこの問題を回避する。
デサンドールの一般的な特徴と動作原理を説明したが、特にデサンドールの製造に関するデサンドールのいくつかの特定の特徴を、図２から５Ａを参照して以下に詳細に説明する。
【００４３】
図２は、シーブ１６、１８とレバー２０が取り付けられたベースプレート１０を示す。図２、２Ａに示すように、スプールは平面図においてほぼ円形であり、ベース１０の近くに直径が減少した部分４４を有し、幅広の円筒形部分４６の側部は浅いＶ字型プロファイルまたは溝４６を規定している。切り欠き部分４４は、アーム１２の一部がシーブ４６主要部の下を通ることができるようになっている。シーブ４６の幅広の部分のＶ字型プロファイル／溝は、ロープ３０を受けるよう構成されている。図２Ａに示すように、シーブは縦の中心ボア４８を具え、ここにリベット等を挿入してベースプレート１０と図２Ａには図示しないリテンションプレートとの間にシーブを固定しうる。
【００４４】
図２ではまた、レバー５０の一方の端部に伸長部５２が設けられ、これはレバーの有効長を伸ばすためにピボット５４周りに回転可能である。
【００４５】
さらに、図２には、ビレイ用にアームを付勢し、デサンドールを「開」「閉」するバネとストップ手段アセンブリを具える。このバネとストップ手段アセンブリは、ベース１０の下側に設けられたバネ９０およびキャッチ９２と、アーム１２の下面にあるロッド９４とを具える。このバネはベースに固定され弾力的な長さの弾性スチールであり、ストップ９５を押しており、ロッド９４によりストップ９５から離れる方向へ押されると、キャッチが設けられたピボット９６周りでロッド９４を矢印Ｂ方向の反時計回りに押すよう作用する。キャッチはベース１０の下側に設けられており、図４に示すプレート１１５に部分的に覆われている。これは矢印Ｃの方向へ変わるよう軽く付勢されている。キャッチの内側面９８は、ロッドを保持すべく半径の短いカーブで構成されており、したがってロッドがＢの方向へ押されるとキャッチは動かない。キャッチを動かすには面１００を押す必要がある。この構成により、デサンドールが不意にバネで開いてしまうことが防止される。使用時に、デサンドールにロープおよびシーブ２８の周りにロープを供給すべくデサンドールが開かれる。
【００４６】
面１００の構成と、ピボット９６の位置は、アームが閉じたときにロッド９４がキャッチを時計回りにピボット９６周りに押して、キャッチが自動的に開くようになっている。
【００４７】
図３は、アーム１２をより詳細に示し、特に３つのリベット１０２によりアームに固定された硬化鋼であるカムフォロワ２６を示す。
【００４８】
図３Ａは、シーブ２８の詳細を示す。アーム１２の近くのシーブの主要部６０はほぼ円筒形で、当該円筒の側部はほぼＶ字型プロファイル６０をなし、たがってロープを受ける浅い溝を規定する。シース６１の上側部分は、組み立てたときにアームとベースが合体するように、シース主要部に比べて直径の減少した円筒部を規定しており、リテンションプレートの切り欠き部分内に配置するのに適合する。シーブの最上部は幅の広いフランジ部分６２を規定する。シーブに対してアームの反対側には円筒ロッド９４があり、フランジ１０１で終端している。
【００４９】
図４は、デサンドールの端面図であり、レバー２０がベースプレート１０とリテンションプレート１１０の間に挟まれた状態を示す。このレバーは互いに重ねられた３枚のスチールシートで構成されるが、レバーはワンピース製造されてもよい。特に、図４では、カム２４が図４の向きのハンドルの下側に配置される。レバーの回動軸２２はリベット／ボルトで規定される。カム２４はネジボルト１１１の下端部に設けられる。このボルトはレバー２０と、図５に示すリテンションプレートの三日月形の開口とを通る。任意でウィングナット１１２がボルト１１１の上端部に設けられる。このウィングナットとリテンションプレートの上面の間には、メタルワッシャ１１６とレザーワッシャ１１４がある。ウィングナットはロッド上で締められ、ナット１１２とプレート１１０間のレザーワッシャが圧迫されてレバーがロックされて動かなくなる。他の実施例では、このレバーロック機能を省略してもよい。
【００５０】
図５を参照すると、リテンションプレート１１０とレバーが特に示され、他の構成が省略されており、ネジロッド１１１が通るリテンションプレートにアーチ形の切り欠き部１２０が規定され、レバーはアーチ１２０のどこの位置でもロックすることができる。切り欠き１２０の周りには粗くした部分１２２が存在し、プレート１１０にレザーワッシャのグリップを向上している。
【００５１】
レバーの位置をロックできるため、操作者により降下速度をプリセットすることができる。降下のプリセット速度は、レバーの操作により変更することができる。
【００５２】
バネとストップ構造により、アームとベースを離しておきデサンドールを通るロープの移動が遅くなったときにロープのロックを防止することにより、デサンドールをビレイに用いることができる。
【００５３】
上述したように、シーブ１５６は、ロープの２つの区画を離し、図１Ｂのようにほぼ平行であるが分離したままとするため、デサンドールが人物や物品を持ち上げるのに利用可能となる。人間や物品を持ち上げるのにデサンドールに作用すると考えられる別の要因は、デサンドールがハーネス上でねじれたり回転したりして、その重心が変化することである。
【００５４】
当業者は、広範に記載された本発明の意図と範囲から逸脱することなく、特定の実施例に示した本発明に多くの変更および／または変形を施せることを理解するであろう。これらの実施例は、したがって、すべての面で説明であって限定と解釈されてはならない。
【図１】
0005554403.tif 000002
【図１Ａ】
0005554403.tif 000003
【図１Ｂ】
0005554403.tif 000004
【図１Ｃ】
0005554403.tif 000005
【図２】
0005554403.tif 000006
【図２Ａ】
0005554403.tif 000007
【図３】
0005554403.tif 000008
【図３Ａ】
0005554403.tif 000009
【図４】
0005554403.tif 000010
【図５】
0005554403.tif 000011